(57)【要約】【課題】  従来のインターネット専用電話機を使用した電話は、１個のＶＯＩＰアダプターに１個の電話機しか接続することが出来ず、又インターネット通話と一般電話を同時に使用することが出来ない。又、お互いが同一のインターネットプロバイダーのサービスに加入することが必要であり、その取扱いも相手の呼出し手順が煩雑で使い勝手が悪い汎用性の少ないシステムであった。【解決手段】  本発明は、一台のインターネット電話用アダプターに複数台の電話機を接続して、各電話機から自由に接続先の電話番号を指定することにより、指定したインターネットのＩＰアドレスが設定されている接続先の電話機に接続するようにして、インターネットプロバイダに接続された電話機の間で公衆電話回線を使用せずに通話を行うことが出来る。又、インターネット電話用アダプターを介して公衆電話回線に接続された電話機とも通話を行うことが出来るようにして問題点を解決したものである。【選択図】              図１
2005130301.tif 000002
【特許請求の範囲】
【請求項１】
複数個のアナログ電話機の接続される電話端子と、公衆アナログ電話回線への接続端子とを持ったアナログ入出力インターフェイス、
インターネットの回路網に接続されるデジタル通信回線が接続されるネットワーク端子を持ったデジタル入出力インターフェイス、
アナログ入出力インターフェイスの電話端子に接続された電話機から送られてくる識別信号に応じて電話端子をインターネットへの接続とするか、公衆電話回線への接続とするかの切替を行う選択接続回路、
アナログ入出力インターフェイスの電話端子に接続された電話機からの音声等のアナログ信号を電話端子の電話番号の区別を付けたパケット信号に変換するデジタル処理と、インターネットから受信したパケット信号をアナログ信号に変換して出力する処理を行うＶＯＩＰアダプター、
アナログ入出力インターフェイスのアナログ端子に接続された電話機と公衆電話回線との接続の制御を行う公衆回線接続回路、
選択接続回路の制御とアナログ端子に接続された電話機のアナログ信号をインターネットへの接続する場合にＶＯＩＰアダプターの通信処理の制御を行う制御回路、
ＶＯＩＰアダプターとデジタル入出力インターフェイスのデジタル端子に接続されたパーソナルコンピュータと、デジタル入出力インターフェイスのデジタル端子との信号を切り替えるローカルなＩＰ管理を行い、音声のパケットを特定のポートで通す機能を持ったルーター、
とを具備したインターネット電話用アダプター
【請求項２】
複数個のアナログ電話機やＦＡＸの接続される電話端子と、公衆アナログ電話回線への接続端子とを持ったアナログ入出力インターフェイス、
パーソナルコンピュータの接続されるデジタル端子と、インターネットの回路網に接続されたデジタル通信回線が接続されるネットワーク端子とを持ったデジタル入出力インターフェイス、
アナログ入出力インターフェイスの電話端子に接続された電話機から送られてくる識別信号に応じて電話端子をインターネットへの接続とするか、公衆電話回線への接続とするかの切替を行い、又インターネットへの接続が行われなかった場合には公衆電話回線へのリダイヤル機能を持った選択接続回路、
アナログ入出力インターフェイスのアナログ端子に入力される音声等のアナログ信号をインターネットへの接続するための信号処理を行う回路で、入力される音声等のアナログ信号をアナログ入出力インターフェイスのアナログ端子に接続された電話機の電話番号に応じて、入力される音声等のアナログ信号を電話番号の区別を付けたパケット信号に変換するデジタル処理と、インターネットから受信したパケット信号をアナログ信号に変換して出力する処理を行うＶＯＩＰアダプター、
アナログ入出力インターフェイスのアナログ端子とＶＯＩＰアダプターとの接続を行っているＶＯＩＰポート、
アナログ入出力インターフェイスのアナログ端子に接続された電話機と公衆電話回線との接続の制御を行う公衆回線接続回路、
アナログ入出力インターフェイスのアナログ端子に接続された電話機から送られる識別信号に応じてアナログ端子の信号をインターネットへの接続とするか、公衆電話回線への接続とするかの選択接続回路の制御と、アナログ端子に接続された電話機のアナログ信号をインターネットへの接続する場合にＶＯＩＰアダプターの通信処理の制御を行う制御回路、
ＶＯＩＰアダプターとデジタル入出力インターフェイスのデジタル端子に接続された、パーソナルコンピュータと、デジタル入出力インターフェイスのデジタル端子との信号を切り替えるローカルなＩＰ管理を行い、音声のパケットを特定のポートで通す機能を持ったルーター、
とを具備したインターネット電話用アダプター
【請求項３】
複数個のアナログ電話機やＦＡＸの接続される電話端子と、公衆アナログ電話回線への接続端子とを持ったアナログ入出力インターフェイス、
パーソナルコンピュータの接続されるデジタル端子と、インターネットの回路網に接続されたデジタル通信回線が接続されるネットワーク端子とを持ったデジタル入出力インターフェイス、
アナログ入出力インターフェイスの電話端子に接続された電話機から送られてくる識別信号に応じて電話端子をインターネットへの接続とするか、公衆電話回線への接続とするかの切替を行い、又インターネットへの接続が行われなかった場合には公衆電話回線へのリダイヤル機能を持った選択接続回路、
アナログ入出力インターフェイスのアナログ端子に入力される音声等のアナログ信号をインターネットへの接続するための信号処理を行う回路で、入力される音声等のアナログ信号をアナログ入出力インターフェイスのアナログ端子に接続された電話機の電話番号に応じて、入力される音声等のアナログ信号を電話番号の区別を付けたパケット信号に変換するデジタル処理と、インターネットから受信したパケット信号をアナログ信号に変換して出力する処理を行うＶＯＩＰアダプター、
アナログ入出力インターフェイスのアナログ端子とＶＯＩＰアダプターとの接続を行っているＶＯＩＰポート、
アナログ入出力インターフェイスのアナログ端子に接続された電話機と公衆電話回線との接続の制御を行う公衆回線接続回路、
アナログ入出力インターフェイスのアナログ端子に接続された電話機から送られる識別信号に応じてアナログ端子の信号をインターネットへの接続とするか、公衆電話回線への接続とするかの選択接続回路の制御と、アナログ端子に接続された電話機のアナログ信号をインターネットへの接続する場合にＶＯＩＰアダプターの通信処理の制御を行う制御回路、
ＶＯＩＰアダプターとデジタル入出力インターフェイスのデジタル端子に接続された、パーソナルコンピュータと、デジタル入出力インターフェイスのデジタル端子との信号を切り替えるローカルなＩＰ管理を行い、音声のパケットを特定のポートで通す機能を持ったルーター、
とを具備し、電話番号に対応するインターネットのＩＰアドレスを対にして設定された登録データを持ち、電話番号とＩＰアドレスの登録データの管理を行うゲートキーパー機能を持ったインターネット回路網の中のＶＯＩＰサーバーにアクセスして、接続先の電話番号を指定することにより、指定したインターネットのＩＰアドレスが設定されている接続先の電話機に接続するようにして、インターネットプロバイダに接続された電話機の間で公衆電話回線を使用せずに通話を行えるようにするとともに、識別信号に応じて接続先の電話番号を指定することによりアナログ端子に接続された電話機等を公衆電話回線に接続して公衆電話回線に接続された電話機とも通話を行えるようにしたインターネット電話用アダプター。
【請求項４】
請求項１乃至請求項３において、インターネット電話用アダプターを特定する電話番号にはインターネット電話用アダプターに接続された電話機の公衆電話回線の電話番号を使用することを特徴とするインターネット電話用アダプター。
【請求項５】
請求項１乃至請求項３において、インターネット電話用アダプターに接続された電話機によりインターネット電話と一般公衆電話回線を利用した通話が同時に行えるようにしたことを特徴とするインターネット電話用アダプター。
【請求項６】
請求項１乃至請求項３において、インターネット電話中に一般公衆電話着信があった場合に、一般公衆電話に出られない時に特定のボタンを押すことにより、一般公衆電話の相手に電話に出られない旨のガイダンスを流すことを特徴とするインターネット電話用アダプター。
【請求項７】
請求項１乃至請求項３において、電話機を公衆電話回線とインターネット回路網との識別信号に、特定のボタンを押すか又は識別番号を付けることを特徴とするインターネット電話用アダプター。
【請求項８】
請求項１乃至請求項３において、選択接続回路はアナログ入出力インターフェイスのアナログ端子から送られる識別信号に応じてアナログ端子をインターネットへの接続とするか、公衆電話回線への接続とするかの切替を行い、又インターネットへの接続が行われなかった場合には公衆電話回線へのリダイヤル機能を持つことを特徴とするインターネット電話用アダプター。
【請求項９】
請求項１乃至請求項３において、インターネット電話用アダプターに接続される電話機は転送先の指定機能を持っているとを特徴とするインターネット電話用アダプター。
【請求項１０】
請求項１乃至請求項３において、インターネット電話用アダプターのパーソナルコンピュータの接続されるデジタル端子に、さらにインターネット電話用アダプターを接続することにより、電話機や電話番号を増設するようにしたことを特徴とするインターネット電話用アダプター。
【請求項１１】
請求項１乃至請求項３において、インターネット電話中にインターネット電話用着信があった場合に、アナログ入出力インターフェイスのアナログ端子に接続された別の電話機に着信させて通話を行うことを特徴とするインターネット電話用アダプター。
【発明の詳細な説明】
【技術分野】
【０００１】
本発明は、インターネット回線を介して通話を行うためのインターネット電話用アダプターに関するものである。
本発明のインターネット電話用アダプターは、複数の電話機を一つのアダプターによりインターネット回線に直接接続出来るようにして、インターネットプロバイダに接続された電話機の間で通話が行え、又、公衆回線に接続されている電話機にも直接通話が行えるようにして、インターネット電話の使い勝手と、汎用性を高めたものである。
【背景技術】
【０００２】
インターネットを使用した電話は、インターネットの回線網を電話回線として用いることにより通信コストが低減されるために急速に普及しつつあり、各種の方式が提案され実用化されている。
このインターネットを使用した電話の方式には、専用ソフトを入れたパソコンを使って通信する方式と、電話機を使用してＩＰ用の専用回線を使って通信を行う方式がある。
電話機を使用してＩＰ用の専用回線を使って通信を行う方式は、図６の（ａ）に示すように、電話機をＶＯＩＰアダプターと、パソコンの接続されたルーターを介して、ターミナルアダプター，ＬＡＮアダプター又はＡＤＳＬモデム等の各種モテムのＬＡＮ端子に接続し、モデムを介してインターネット回線に接続する方式である。
又、インターネット専用電話機を使用してＩＰ用の専用回線を使って通信を行う方式は、図６の（ｂ）に示すように、ＶＯＩＰアダプターを内蔵したインターネット専用電話機を、パソコンの接続されたルーターを介して、ターミナルアダプター、ＬＡＮアダプター又はＡＤＳＬモデム等の各種モテムのＬＡＮ端子に接続し、モデムを介してインターネット回線に接続する方式である。
【０００３】
この電話機を使用する方式は、利用者が通話時にインターネット電話であることを意識しないですむため、パソコンやインターネット電話に手を出しかねている層にも利用が広がっているが
１.現状の電話機とＶＯＩＰアダプターを使用した製品では、１個のＶＯＩＰアダプターに１個の電話機しか接続することが出来ず、又インターネット通話と一般電話を同時に使用することが出来ない。
２.電話機、ＶＯＩＰアダプター、インターネットに接続するターミナルアダプター（ＴＡ）、ＡＤＳＬ、ＣＡＴＶ、ルーター等の機器を個別に購入する必要があり、おのおのに設定が必要なために、利用者にとっては複雑でかつ割高となっている。
３．インターネット電話を利用するためにはお互いが同一のインターネットプロバイダーのサービスに加入することが必要である。
４．電話機を使用しているがターミナルアダプター（ＴＡ）、ＡＤＳＬ、ＣＡＴＶ等の接続されている同一のインターネットプロバイダー専用回線内でしか使用することが出来ないため汎用性が乏しい。
等の制約があるため汎用性の低い使い勝手の悪いものとなっている。
【特許文献１】特開平１０−２２４８５３号公報，
【特許文献２】特開特開２０００−５０４７４号公報，
【特許文献３】特開２０００−３５８１０１号公報，
【特許文献４】特開２００１−２５１４４０号公報
【発明の開示】
【発明が解決しようとする課題】
【０００４】
従来のインターネット専用電話機を使用した電話は、１個のＶＯＩＰアダプターに１個の電話機しか接続することが出来ず、又インターネット通話と一般電話を同時に使用することが出来ない。
インターネット電話を利用するためにはお互いが同一のインターネットプロバイダーのサービスに加入することが必要である。
又、その取扱いも相手の呼出し手順が煩雑であったり、公衆回線の電話と異なる電話番号やＩＰアドレスを入力して接続する必要があった。又、電話の発信、受信が出来るネットワーク間の組み合わせも限られており、公衆回線の電話への接続が困難である等の問題があり、電話費用は削減できるが、汎用性に乏しく使い勝手が悪い汎用性の少ないシステムである。
このため、インターネットを使用した使い勝手が良く、汎用性のあるインターネット電話用アダプターの実現が求められている。
【課題を解決するための手段】
【０００５】
本発明は、複数個のアナログ電話機の接続される電話端子と、公衆アナログ電話回線への接続端子とを持ったアナログ入出力インターフェイスと、インターネットの回路網に接続されるデジタル通信回線が接続されるネットワーク端子とを持ったデジタル入出力インターフェイスと、アナログ入出力インターフェイスの電話端子に接続された電話機から送られてくる識別信号に応じて電話端子をインターネットへの接続とするか、公衆電話回線への接続とするかの切替を行う選択接続回路と、アナログ入出力インターフェイスの電話端子に接続された電話機からの音声等のアナログ信号を電話端子の電話番号の区別を付けたパケット信号に変換するデジタル処理と、インターネットから受信したパケット信号をアナログ信号に変換して出力する処理を行うＶＯＩＰアダプターと、アナログ入出力インターフェイスのアナログ端子に接続された電話機と公衆電話回線との接続の制御を行う公衆回線接続回路と、選択接続回路の制御とアナログ端子に接続された電話機のアナログ信号をインターネットへの接続する場合にＶＯＩＰアダプターの通信処理の制御を行う制御回路と、ＶＯＩＰアダプターとデジタル入出力インターフェイスのデジタル端子に接続されたパーソナルコンピュータとデジタル入出力インターフェイスのデジタル端子との信号を切り替えるローカルなＩＰ管理を行い、音声のパケットを特定のポートで通す機能を持ったルーターと、を具備したインターネット電話用アダプターで実現することにより、従来のインターネット電話の問題点を解決したものである。
【発明の効果】
【０００６】
一台のインターネット電話用アダプターに複数台の電話機を接続して、各電話機から自由に接続先の電話番号を指定することにより、指定したインターネットのＩＰアドレスが設定されている接続先の電話機に接続するようにして、インターネットプロバイダに接続された電話機の間で公衆電話回線を使用せずに通話を行うことが出来る。又、インターネット電話用アダプターを介して公衆電話回線に接続された電話機とも通話を行うことが出来る。
また、本発明のインターネット電話用アダプターは、公衆回線の電話番号とネットワークアドレスを対応させることが出来るので、加入電話からインターネット通話用アダプターへの発信、インターネット通話用アダプターから加入電話への発信、インターネット通話用アダプターからインターネット通話用アダプターへの発信、が容易になり、発信元、発信先が加入電話かインターネット通話用アダプターかをまったく意識する必要が無く、かつ従来の加入電話とまったく同じ操作性を実現出来る。
さらにインターネット電話用アダプター間での通話料は、インターネットサービスプロバイダの接続料金を除けば、距離にかかわらず、基本的に無料であるため通信経費の大幅節減が出来る。
【発明を実施するための最良の形態】
【０００７】
図１は、本発明のインターネット電話用アダプターの構成の一実施例を示す説明図である。
図１において、１０はアナログ入出力インターフェイスである。アナログ入出力インターフェイス１０は、複数個のアナログ電話機やＦＡＸの接続される電話端子１１，１２，１３と、公衆アナログ電話回線への接続端子ＡＮとを持っている。
ＴＬ１．ＴＬ２．ＴＬ３は入出力インターフェイス１０のアナログ端子１１，１２，１３に接続された電話機である。
２０はデジタル入出力インターフェイスである。デジタル入出力インターフェイス２０は、複数個のパーソナルコンピュータの接続されるデジタル端子２１，２２，２３と、インターネットの回路網に接続されたデジタル通信回線が接続されるネットワーク端子ＤＧとを持っている。
３０は選択接続回路である。選択接続回路３０は、アナログ入出力インターフェイス１０の、電話端子１１，１２，１３に接続された電話機ＴＬ１．ＴＬ２．ＴＬ３から送られてくる識別信号に応じて電話端子１１，１２，１３をインターネットへの接続とするか、公衆電話回線への接続とするかの切替を行う機能を持っている。
【０００８】
４０はＶＯＩＰポートである。ＶＯＩＰポート４０は入出力インターフェイス１０のアナログ端子１１，１２，１３とＶＯＩＰアダプターとの接続を行っている。
５０はＶＯＩＰアダプターである。ＶＯＩＰアダプター５０は、入出力インターフェイス１０のアナログ端子に入力される音声等のアナログ信号をインターネットへ接続するための信号処理を行う回路で、入力される音声等のアナログ信号をインターネットへ送信するためのパケット信号に変換するデジタル処理と、インターネットから受信したパケット信号をアナログ信号に変換して出力する処理を行う。
ＶＯＩＰアダプター５０は、入出力インターフェイス１０のアナログ端子１１，１２，１３に接続された電話機ＴＬ１．ＴＬ２．ＴＬ３に応じて、入力される音声等のアナログ信号を電話番号の区別を付けたパケット信号に変換する。
６０は公衆回線接続回路で、入出力インターフェイス１０のアナログ端子１１，１２，１３に接続された電話機と公衆電話回線との接続の制御を行う。
７０は制御回路である。制御回路７０は、アナログ入出力インターフェイス１０のアナログ端子１１，１２，１３に接続された電話機から送られる識別信号に応じてアナログ端子１１，１２，１３の信号ををインターネットへの接続とするか、公衆電話回線への接続とするかの選択接続回路３０の切替制御と、アナログ端子１１，１２，１３に接続された電話機のアナログ信号をインターネットへの接続する場合にＶＯＩＰアダプター５０の通信処理の制御を行う。
【０００９】
８０はルーターである。ルーター８０は、ＶＯＩＰアダプター５０とデジタル入出力インターフェイス２０のデジタル端子２１，２２，２３に接続された、複数個のパーソナルコンピュータと、デジタル入出力インターフェイス２０のデジタル端子ＤＧとの信号を切り替えるローカルのＩＰ管理を行い、音声のパケットを特定のポートで通す機能を持っている。
アナログ入出力インターフェイス１０のアナログ端子１１，１２，１３は、選択接続回路３０とＶＯＩＰポート４０を介してＶＯＩＰアダプター５０に接続されている。ＶＯＩＰアダプター５０はルーター８０を介してデジタル入出力インターフェイス２０のネットワーク端子ＤＧに接続されている。
又、アナログ入出力インターフェイス１０のアナログ端子１１，１２，１３は、選択接続回路３０と公衆回線接続回路６０を介してアナログ入出力インターフェイス１０の電話端子ＡＮに接続されている。
制御回路７０は、アナログ入出力インターフェイス１０のアナログ端子１１，１２，１３に接続された電話機ＴＬ１．ＴＬ２．ＴＬ３から送られる識別信号に応じて，アナログ端子１１，１２，１３の信号をインターネットへの接続とするか、公衆電話回線への接続とするかの選択接続回路３０の切替制御と、アナログ端子１１，１２，１３に接続された電話機のアナログ信号をインターネットへの接続する場合にＶＯＩＰアダプター５０の通信処理の制御を行う。
【００１０】
アナログ端子１１，１２，１３に接続された電話機ＴＬ１．ＴＬ２．ＴＬ３の信号を、インターネットへの接続する場合には電話機の音声信号をＶＯＩＰアダプター５０においてＶＯＩＰ（Ｖｏｉｃｅ  ｏｖｅｒ  ＩＰ）に対応した信号処理を行った後、電話機ＴＬ１．ＴＬ２．ＴＬ３の電話番号の識別を付けてルーター７０を介してデジタル入出力インターフェイス２０のネットワーク端子ＤＧに送り出し、インターネットモデムを通してインターネット回路に接続する。
又、アナログ端子１１，１２，１３に接続された電話機ＴＬ１．ＴＬ２．ＴＬ３を公衆回線に接続する場合は、電話機の音声信号を公衆回線接続回路を介してアナログ入出力インターフェイス１０の電話端子ＡＮに送り出し、公衆回線に接続する。
このようにして、本発明のインターネット電話用アダプターはアナログ端子１１，１２，１３に接続された電話機から送られる識別信号に応じて電話機の信号をインターネットへの接続とするか、公衆回線への接続とするかの選択接続を行う。
インターネットへの接続を行う場合には、ＶＯＩＰアダプター５０はＶＯＩＰポート４０の各ポートから送られてくる信号に応じて、入力される音声等のアナログ信号をアナログ端子１１，１２，１３に接続された電話機ＴＬ１．ＴＬ２．ＴＬ３の区別を付けたパケット信号に変換するので、アナログ端子１１，１２，１３に接続された電話が２回線以上同時に通話要求が出された場合にも同時並行処理を行うことができる。このため、アナログ入出力インターフェイス１０のアナログ端子の数を増やすことにより従来のアナログ電話のビジネスホンや内線電話の機能を簡単な構成で実現することが出来る。
【００１１】
ＶＯＩＰアダプター５０の出力のパケット信号は、ルーター８０を介してデジタル入出力インターフェイス２０のネットワーク端子ＤＧに送出される。
図２は、図１に示した本発明のインターネット電話用アダプターＶＯＩＰを、各種のインターネットモデムを介してインターネットに接続する場合の例を示したものである。図２において、ＶＯＩＰは、図１で説明した本発明のインターネット電話用アダプターを示す。
図２の（ａ）は、インターネット電話用アダプターＶＯＩＰをターミナルアダプターを介して、インターネットに接続する場合の構成を示したものである。図２の（ａ）において、ＴＡはターミナルアダプター（ＴＡ内臓ルーター）である。
ターミナルアダプターＴＡはアナログの公衆電話の接続端子Ｔとデジタル信号端子Ｄを持ち、アナログの電話信号とデジタル信号とをインターネットに接続された電話回線ＴＥＬを介して送受信する機能を持っている。
インターネット電話用アダプターのアナログ入出力インターフェイス１０の電話端子ＡＮはターミナルアダプターＴＡのアナログの公衆電話の接続端子に接続され、デジタル入出力インターフェイス２０のネットワーク端子ＤＧはターミナルアダプターＴＡのデジタル端子Ｄに接続されている。
【００１２】
このように本発明のインターネット電話用アダプターＶＯＩＰをターミナルアダプターＴＡを介して接続することにより、インターネット電話用アダプターはインターネット電話用アダプターに接続された電話機をインターネットへの接続とするか、公衆回線への接続とするかの選択接続を行い、ターミナルアダプターＴＡにより、それぞれの通信がインターネットに接続された電話回線ＴＥＬを介して行われる。
図２の（ｂ）は図1に示した本発明のインターネット電話用アダプターＶＯＩＰをＣＡＴＶモデムを介してインターネットに接続する場合の構成を示したものである。
図２の（ｂ）において、ＣＶはＣＡＴＶモデムである。
ＣＡＴＶモデムＣＶは、デジタル信号をＣＡＴＶ回線を介して送受信する機能を持っている。
インターネット電話用アダプターＶＯＩＰのアナログ入出力インターフェイス１０の電話端子ＡＮは公衆電話回線ＴＥＬに接続され、デジタル入出力インターフェイス２０のネットワーク端子ＤＧはＣＡＴＶモデムＣＶを介してインターネットに接続されたＣＡＴＶ回線ＬＩＮＥに接続されている。
【００１３】
このようにインターネット電話用アダプターＶＯＩＰをＣＡＴＶモデムＣＶを介して接続することにより、インターネット電話用アダプターＶＯＩＰに接続された電話機をインターネットへの接続とするか、公衆電話回線への接続とするかの選択接続を行い、それぞれの通信がインターネットに接続されたＣＡＴＶ回線ＬＩＮＥ及び公衆電話回線ＴＥＬを介して行われる。
図２の（ｃ）は、インターネット電話用アダプターＶＯＩＰをＡＤＳＬモデムを介して、インターネットに接続する場合の構成を示したものである。図２の（ｃ）において、ＡＤはＡＤＳＬモデムである。
ＡＤＳＬモデムＡＤは、デジタル信号を公衆電話回線を介して送受信する機能を持っている。
インターネット電話用アダプターのアナログ入出力インターフェイス１０の電話端子ＡＮはスプリッターを介して公衆電話回線ＴＥＬに接続され、デジタル入出力インターフェイス２０のネットワーク端子ＤＧはＡＤＳＬモデムＡＤ及びスプリッターを介してインターネットに接続された公衆電話回線ＴＥＬに接続されている。
【００１４】
このようにインターネット電話用アダプターをＡＤＳＬモデムＡＤを介して接続することにより、インターネット電話用アダプターに接続された電話機をインターネットへの接続とするか、公衆回線への接続とするかの選択接続を行い、それぞれの通信がインターネットに接続されたＡＤＳＬ回線及び公衆電話回線ＴＥＬを介して行われる。
図２の（ｄ）は、インターネット電話用アダプターＶＯＩＰを回線終端装置を介して、インターネットに接続する場合の構成例を示したものである。
図２の（ｄ）においてＯＮは回線終端装置（ＯＮＵ）である。回線終端装置ＯＮは、デジタル信号を光ファイバーの回線を介して送受信する機能を持っている。
インターネット電話用アダプターＶＯＩＰのアナログ入出力インターフェイス１０の電話端子ＡＮは公衆電話回路ＴＥＬに接続され、デジタル入出力インターフェイス２０のネットワーク端子ＤＧは回線終端装置ＯＮを介してインターネットに接続された光ファイバー回線ＬＩＮＥに接続されている。
このようにインターネット電話用アダプターＶＯＩＰPを回線終端装置ＯＮを介して接続することにより、インターネット電話用アダプターＶＯＩＰに接続された電話機をインターネットへの接続とするか、公衆電話回線への接続とするかの選択接続を行い、それぞれの通信がインターネットに接続された光ファイバー回線ＬＩＮＥ及び公衆電話回路ＴＥＬを介して行われる。
【００１５】
図２の（ｅ）は、インターネット電話用アダプターＶＯＩＰを各種モデム等を介して、インターネットに接続する場合で、法人等で利用しているて電話主装置を介して電話機を接続する場合の構成例を示したものである。
図２の（ｅ）においてのＰＢは電話主装置（ＰＢＸ）、ＭＯは図２の（ａ）（ｂ）（ｃ）（ｄ）で使用している各種のモデムや回線終端装置である。
電話主装置ＰＢは、複数の電話回線を収容することができ、複数の電話機を接続して接続された複数の電話機と電話回線をコントロールしたり別の電話機に転送する機能を持っている。
インターネット電話用アダプターＶＯＩＰのアナログ入出力インターフェイス１０の電話端子ＡＮは公衆電話回線ＴＥＬに接続され、デジタル入出力インターフェイス２０のネットワーク端子ＤＧは各種モデムＭＯを介してインターネットに接続されたインターネット回線ＬＩＮＥに接続されている。
【００１６】
このようにインターネット電話用アダプターＶＯＩＰを回線終端装置ＯＮを介して接続し、インターネット電話用アダプターＶＯＩＰのアナログ入出力インターフェイス１０から本来電話機に接続されるラインを電話主装置ＰＢに収容することにより、インターネット電話用アダプターＶＯＩＰに接続された電話機をインターネットへの接続とするか、公衆電話回線への接続とするかの選択接続を行い、それぞれの通信がインターネットに接続されたインターネット回線ＬＩＮＥ及び公衆電話回線ＴＥＬを介して行われる。
また、電話主装置ＰＢの機能により、インターネット電話の通話を公衆回線の電話同様に、他の電話機に転送することも可能である。
上記の図１に示した本発明のインターネット電話用アダプターは、アダプター内にルーター８０を具備し、デジタル入出力インターフェイス２０の端子２１，２２，２３にパーソナルコンピュータＰＣを接続することによりパーソナルコンピュータを使用したインターネット通信を行うことが出来るように構成されている。しかしながら、このパーソナルコンピュータの接続機能は、本発明のインターネット電話用アダプターに必要不可欠の物ではないので、インターネット電話の接続だけに使用する場合は、入出力インターフェイス２０の端子２１，２２，２３及びルーター８０を削除し用アダプターを簡略化することが可能である。
又、インターネット電話用アダプターのデジタル入出力インターフェイス２０の端子２１，２２，２３にさらにインターネット電話用アダプターを接続することにより、ルーター８０の
機能を利用して電話機や電話番号を増設することができる。
【００１７】
図３は、本発明のインターネット電話用アダプターを使用したインターネット電話システムの一実施例の構成例を示す説明図である。
図３において、ＶＯＩＰ１，ＶＯＩＰ２，ＶＯＩＰ３，ＶＯＩＰ４は、図１に示した本発明のインターネット電話用アダプターを、図２に示したような各種のインターネット接続用アダプターを介してインターネット回路網に接続するようにしたものである。
ＡＰ１，ＡＰ２，ＡＰ３，ＡＰ４はインターネットプロバイダのアクセスポイントである。アクセスポイントＡＰ１，ＡＰ２，ＡＰ３，ＡＰ４は、インターネットプロバイダのアクセスサーバーやルーターなどに接続されており、すべてのユーザーはアクセスポイントを通してインターネットプロバイダに接続されている。
インターネットプロバイダはネットワークオペレーションセンター（ＮＯＣ）と複数のアクセスポイントＡＰ１，ＡＰ２，ＡＰ３，ＡＰ４とそれらを相互に接続する高速デジタル回線から構成されており、専用線で他のインターネットサービスプロバイダと接続することによりインターネット回路網上の通信を実現している。
【００１８】
ＩＮＴは、インターネットプロバイダ間を接続するインターネット回路網である。インターネット回路網ＩＮＴは複数のインターネットプロバイダが接続されている。ＡＮＬは、公衆回線のアナログ電話網である。
ＳＶは、ＶＯＩＰサーバーである。ＶＯＩＰサーバーＳＶは、各インターネット電話用アダプターＶＯＩＰ１，ＶＯＩＰ２，ＶＯＩＰ３，ＶＯＩＰ４に割り当てられた電話番号（ユーザーＩＤ）と、インターネット電話用アダプターが接続されているＷＡＮ側のＩＰアドレスと、インターネット電話用アダプターのＩＰアドレスと機器識別のＭａｃアドレスのデータテーブルを持ち、電話番号（ユーザーＩＤ）とＷＡＮ側のＩＰアドレスとインターネット電話用アダプターのＩＰアドレスの対応テーブルなどの管理を行うゲートキーパー機能を持っている。
【００１９】
図４は、ＶＯＩＰサーバーＳＶのデータテーブルの構成を示したものである。図４に示すように、ＶＯＩＰサーバーＳＶのデータテーブルは、ＶＯＩＰサーバーＳＶが管理しているすべてのインターネット電話用アダプターのＩＰアドレス（ＷＡＮ側のＩＰアドレス）と、機器識別のＭａｃアドレスと、各インターネット電話用アダプターに接続されている複数個の電話機ＴＬ．ＴＬ２．ＴＬ3の電話番号（ユーザーＩＤ）が対で登録されており、発信先電話番号がこのサーバーに入力された時、このデータテーブルを検索することにより、発信先のインターネット電話用アダプターのＷＡＮ側のＩＰアドレス，機器識別のＭａｃアドレスとインターネット電話用アダプターに接続されている電話機の電話番号（ユーザーＩＤ）が容易に得られる構成となっている。
ＷＡＮ側のＩＰアドレスは、接続しているアクセスポイントに対して割り当てられているが、常時接続型のインターネット接続であっても、接続が中断後、再開した時に新たなＷＡＮ側のＩＰアドレスが割り当てられる場合や、ダイヤルアップ時にＷＡＮ側のＩＰアドレス，機器識別のＭａｃアドレスが割り当てられる場合には、インターネット電話用アダプターとＶＯＩＰサーバー７０の自動更新プログラムによりその更新処理が行われる。
【００２０】
ＶＯＩＰサーバーＳＶの中央処理用アダプターは、メインメモリ中の制御プログラムの指令を受け、インターネット電話用アダプターから受信したＶＯＩＰアダプターのパケットを読み出す。パケットは電話番号と更新されたＷＡＮ側のＩＰアドレス，機器識別のＭａｃアドレスを含んでいる。中央処理用アダプターは、メインメモリ中の制御プログラムの指令を受け、データテーブルをインターネット電話用アダプターの電話番号で検索し、該当した電話番号に対応するＷＡＮ側のＩＰアドレスを、新しいＷＡＮ側のＩＰアドレス，機器識別のＭａｃアドレスで更新する。
電話機は、それぞれインターネット電話用アダプターＶＯＩＰ１，ＶＯＩＰ２，ＶＯＩＰ３，ＶＯＩＰ４を介してインターネットプロバイダのアクセスポイントＡＰ１，ＡＰ２，ＡＰ３，ＡＰ４に接続され、アクセスポイントＡＰ１，ＡＰ２，ＡＰ３，ＡＰ４を通してインターネット回路網ＩＮＴに接続されている。又、各電話機はそれぞれインターネット電話用アダプターＶＯＩＰ１，ＶＯＩＰ２，ＶＯＩＰ３，ＶＯＩＰ４を介して公衆回線のアナログ電話網ＡＮＬに接続されている。インターネット回路網ＩＮＴにはＶＯＩＰサーバーＳＶが接続されている。
【００２１】
このように構成された本発明のインターネット電話用アダプターを使用したインターネット電話システムでは、各インターネット電話用アダプターＶＯＩＰ１，ＶＯＩＰ２，ＶＯＩＰ３，ＶＯＩＰ４に接続された電話機がインターネット回路網ＩＮＴに接続されインターネット電話として利用可能になる。
インターネット通話を行う場合における、電話用アダプターＶＯＩＰ１に接続された電話機の通話要求から接続までの処理手順例を、図５の接続フローチャートを使用して説明する。
本発明のインターネット電話用アダプターでは、インターネット電話の接続を行う場合の電話番号（ユーザーＩＤ）には、インターネット電話用アダプターに接続された電話機の公衆電話回線の電話番号をそのまま使用し、公衆電話の回線網に接続し通話を行う場合には、識別番号を押して相手の公衆電話の電話番号をダイヤルすることにより、インターネット電話と公衆電話回線網を使用する電話との識別を行うようにしている。
また、識別番号を押した後相手の公衆電話の電話番号をダイヤルした場合は、インターネット電話用アダプターＶＯＩＰ１を通して一般公衆回線にて相手に接続される。
【００２２】
＊ダイヤル
ユーザーＡがインターネッ電話用アダプターＶＯＩＰ１に接続された電話機からインターネット通話を行う場合には、識別番号を押して相手の電話番号（ユーザーＩＤ）を「ダイヤル」する。例えば、０３−１２３４−５６７８とダイヤルする。
＊発信
インターネット通話要求元のインターネット電話用アダプターＶＯＩＰ１は、インターネット通話の識別を確認すると、インターネット通話要求を、ＶＯＩＰサーバーＳＶのディレクトリサーバーシステムに「発信」する。
インターネット電話用アダプターＶＯＩＰ１の通話要求の発信データは、相手のユーザーＢの電話の番号（ユーザーＩＤ）と、ユーザーＡの電話の番号（ユーザーＩＤ）、ＷＡＮ側のＩＰアドレス、インターネットに接続されている機器を識別するＭａｃアドレス、インターネット電話用アダプターのＩＰアドレスのデータである。
インターネット電話用アダプターＶＯＩＰ１の発信データは、インターネットプロバイダのアクセスポイントＡＰ１を通してインターネット回路網ＩＮＴに接続されているＶＯＩＰサーバーＳＶのＩＰアドレスに送信することによってＶＯＩＰサーバーＳＶに通知される。
【００２３】
＊相手の検索
インターネット電話用アダプターＶＯＩＰ１の通話要求を受け取ったＶＯＩＰサーバーＳＶの中央処理用アダプターは、メインメモリ中の制御プログラムの指令を受け、受信した通話要求の発信データを読み出す。発信データはユーザーＢのインターネット電話用アダプターの電話の番号（ユーザーＩＤ）とユーザーＡの電話の番号（ユーザーＩＤ）、ＷＡＮ側のＩＰアドレス、インターネット電話用アダプターのＩＰアドレス，機器識別のＭａｃアドレス等のデータから構成されている。中央処理用アダプターは、メインメモリ中の制御プログラムの指令により、登録されているデータテーブルから発信データに示された電話番号のデータを検索する。
＊相手の呼出
ＶＯＩＰサーバーＳＶの中央処理用アダプターは、データテーブルを検索した結果、ユーザーＢ電話番号と一致するデータを特定すると、データテーブルから読み出し、ユーザーＢの電話番号に対応するＷＡＮ側のＩＰアドレス、インターネット電話用アダプターのＩＰアドレス，機器識別のＭａｃアドレスに変換し、これを使用してインターネット回路網ＩＮＴを通して通話相手のユーザーＢのインターネット電話用アダプターに「接続」し、「呼出」す。
【００２４】
「呼出」を受けたユーザーＢのインターネット電話用アダプターは、ユーザーＢの電話番号（ユーザーＩＤ）とこれに対応するＷＡＮ側のＩＰアドレス、インターネット電話用アダプターのＩＰアドレスと、通話要求先のユーザーＡの電話番号（ユーザーＩＤ）をＶＯＩＰサーバーＳＶ及びインターネット電話用アダプターＶＯＩＰに返信することにより「応答」（受話器を取る）する。ＶＯＩＰサーバーＳＶはユーザーＢのインターネット電話用アダプターのＶＯＩＰアダプターからの返信データを発信者のユーザーＡのインターネット電話用アダプターに転送することにより相手との通話が確立される。
インターネット電話中にインターネット電話用着信があった場合には、アナログ入力インターフェイス１０のアナログ端子１１，１２，１３に接続された別の電話機に着信させて通話を行うようにすることも可能である。
ＶＯＩＰサーバーＳＶは、データテーブルを検索した結果、登録されている電話番号（ユーザーＩＤ）に該当するものが無い場合には、未加入電話であると判断して相手の番号が登録されていないことを通話要求先のユーザーＡに送信する。
このガイダンスを受けると、通話要求先のインターネット電話用アダプターは、
一般公衆回線で接続する旨のガイダンスを流した後、相手の公衆電話の電話番号をリダイヤルし、公衆電話の回線網に接続しの公衆電話網を通して通話が行われる。
【００２５】
このように、本発明のインターネット電話用アダプターを使用した電話システムでは、識別信号をチェツクすることにより、インターネット電話と一般の電話とを識別して、インターネット電話の場合にはユーザーＩＤとして使用される公衆電話の番号をＶＯＩＰサーバーＳＶの中央処理用アダプターに送ることにより、ＶＯＩＰサーバーＳＶは登録されているデータテーブルを検索し、検索の結果、電話番号と一致するものがある場合には、その電話番号に対応して登録されている発信先のインターネット電話用アダプターのＩＰアドレスに発信することにより、インターネットプロバイダに接続された電話機の間で公衆電話回線を使用せずに通話を行うことが出来る。
又、インターネット電話用アダプターが識別信号をチェツクしてインターネット電話ではないと判断した場合や、ＶＯＩＰサーバーＳＶが登録されているデータテーブルを検索した結果、電話番号と一致するものが無い場合には、インターネット電話用アダプターを介して公衆電話回線に接続された電話機とも通話が可能となり、発信元や発信先が加入電話かインターネット通話用アダプターかにかかわらず従来の加入電話と同じ操作性により通話を行うことができる。
【００２６】
本発明のインターネット電話用アダプターは、インターネットへ接続時に受信者側がインターネットに接続されていない場合、もしくはインターネット電話用アダプターにインターネット電話用アダプターをインターネット回路に接続するための信号処理を行うＡＤＳＬモデム等が接続されていない場合は、その旨の音声ガイダンスを流し、その後一般公衆回線を利用した電話を利用してリダイヤルし受信者側を呼出すようになっている。
インターネット電話用アダプターは、これに接続されている電話機が一般電話通話中にインターネット電話の着信があった場合、別の電話機で受けることができる。また、電話機がインターネット電話通話中に一般電話着信があった場合、別の電話機で受けることができる。また、インターネット電話中に一般電話着信があった時も別の電話機で受けることができる。
本発明のインターネット電話用アダプターは、転送先の設定を行うことによりつぎの二つの優れた機能を持っている。
【００２７】
１．インターネット電話着信時に、インターネット電話用アダプターに一般電話転送の設定をすることにより一般公衆回線を利用し携帯電話への転送も可能である。
この設定はユーザーＩＤ、パスワードをあらかじめインターネット電話用アダプターに設定しておくことにより、インターネット回線から一般公衆回線へ中継し、任意の一般公衆回線を利用して着信させることにより出来る。
これはインターネット電話用アダプターがインターネット電話着信すると、ユーザーＩＤ、パスワードの入力を求める音声ガイダンスが流れ、ユーザーＩＤ、パスワードが合致すれば、相手の電話番号を入力することにより任意の相手を一般公衆回線を利用して呼出すことが出来る。また、特定の相手にのみ転送することも可能である。
２．外出時にインターネット電話用アダプターから、インターネット通話を行いたい場合にも、インターネット電話用アダプターにインターネット電話転送の設定をすることにより、相手へのインターネット通話が可能になる。
この設定は、ユーザーＩＤ、パスワードをあらかじめインターネット電話用アダプターに設定しておくことにより、一般公衆回線からインターネット回線へ中継して、任意のインターネット電話へ着信させることにより出来る。
これはインターネット電話用アダプターが一般電話着信すると、ユーザーＩＤ、パスワードの入力を求める音声ガイダンスが流れ、ユーザーＩＤ、パスワードが合致すれば、相手の電話番号を入力することにより任意の相手をインターネット回線を利用して呼出すことが出来る。また、特定の相手にのみ転送することも可能である。
【００２８】
これらの方法により、主に長距離や国際電話の際に通信コストを大幅に下げることが可能になる。
尚、この二つの電話転送の機能は、インターネット電話用アダプターに必要不可欠のものではないので、必要のない場合にはこのプログラムを除いてインターネット電話用アダプターを簡略化しコストを下げることが可能である。
停電時にはインターネット電話用アダプターは、識別信号の有無にかかわらず、一般公衆回線を利用した電話を利用して接続することが出来る。
本発明のインターネット電話用アダプターでは、お互いがインターネット電話用アダプターを持っていれば、通話料はインターネット接続料金のみとなり、又転送機能を使えば遠隔地のインターネット電話用アダプター同志を組み合わせて使用することにより遠距離電話料金を大幅に節約できる。例えばＡ企業の支店Ｂがアメリカにあり、アメリカの取引先に電話する場合には通常は高額の国際料金が発生するが、Ａ企業と支店Ｂに転送先指定機能を持ったインターネット電話用アダプターを設置し、支店Ｂまでインターネットを使用し支店Ｂのインターネット電話用アダプターにアメリカの取引先への転送を設定することにより、アメリカ本土のみの通話料金でＡ企業からアメリカの取引先に電話をかけることが出来るので電話料金を大幅に節約できる。このような使用方法は海外への電話に限らず、国内においても例えば四国や九州から東京や北海道への長距離電話を行う場合には転送先指定機能を持ったインターネット電話用アダプターを使用することにより、遠距離に出張中の従業員や取引先に安い通話料金で電話をかけることが可能になる。
【産業上の利用可能性】
【００２９】
本発明は電気通信産業で利用可能である。
【図面の簡単な説明】
【００３０】
【図１】本発明のインターネット電話用アダプターの構成の一実施例を示す説明図である。
【図２】図１に示した本発明のインターネット電話用アダプターを、各種のインターネットモデムを介してインターネットに接続する場合の例を示したものである。
【図３】本発明のインターネット電話用アダプターを使用したインターネット電話システムの一実施例の構成例を示す説明図である。
【図４】ＶＯＩＰサーバーＳＶのデータテーブルの構成を示したものである。
【図５】インターネット通話を行う場合における、電話用アダプターＶＯＩＰ１の通話要求から接続までの処理手順例の接続フローチャートを示したものである
【図６】従来の一般の電話機を使用してＩＰ用の専用回線を使って通信を行う方式を示したものである。
【符号の説明】
【００３１】
１０・・・アナログ入出力インターフェイス，
１１，１２，１３・・・アナログ電話機やＦＡＸの接続される電話端子，
ＡＮ・・・公衆アナログ電話回線への接続端子，
ＴＬ１．ＴＬ２．ＴＬ３・・・アナログ端子１１，１２，１３に接続された電話機，
２０・・・デジタル入出力インターフェイス，
２１，２２，２３・・・パーソナルコンピュータの接続されるデジタル端子，
ＤＧ・・・ネットワーク端子，
３０・・・選択接続回路，
４０・・・ＶＯＩＰポート，
５０・・・ＶＯＩＰアダプター，
６０・・・公衆回線接続回路，
７０・・・制御回路，
８０・・・ルーター，
ＡＤ・・・ＡＤＳＬモデム，
ＴＡ・・・ターミナルアダプター，
ＣＶ・・・ＣＡＴＶモデム，
ＯＮ・・・回線終端装置，
ＰＢ・・・電話主装置，
ＭＯ・・・各種モデム・回線終端装置，
ＶＯＩＰ１，ＶＯＩＰ２，ＶＯＩＰ３，ＶＯＩＰ４・・・本発明のインターネット電話用アダプター，
ＡＰ１，ＡＰ２，ＡＰ３，ＡＰ４・・・インターネットプロバイダのアクセスポイント，
ＩＮＴ・・・インターネット回路網，
ＡＮＬ・・・公衆回線のアナログ電話網，
ＳＶ・・・ＶＯＩＰサーバー，
【図１】
2005130301.tif 000003
【図２】
2005130301.tif 000004
【図３】
2005130301.tif 000005
【図４】
2005130301.tif 000006
【図５】
2005130301.tif 000007
【図６】
2005130301.tif 000008